(57)【要約】      （修正有）【課題】  ラベル貼りや宛名シート封入を行ったパッケージが存在するか否かを確実に確認することができる生産履歴管理システムを提供する。【解決手段】  生産した製品１に記載され、該製品を一意に特定することができる管理番号の文字を含む画像を撮像する手段７と、撮像した画像を格納する画像メモリ９と、文字認識対象文字毎に、複数の回転角を持たせた文字パターンデータが予め記憶されたデータベース１０と、生産されるべき製品を一意に特定することができる管理番号が記憶されたデータベース１６と、データベースに記憶されている文字パターンデータを参照して、画像メモリに格納されている画像から切り出した文字の画像データの文字認識処理を実行することにより管理番号を認識する手段と、文字認識により得られた管理番号とデータベースに記憶されている管理番号とを照合することにより、製品が生産されたことを確認する手段とを備える。【選択図】    図１
2006079513.tif 000002
【特許請求の範囲】
【請求項１】
生産した製品に記載され、該製品を一意に特定することができる管理番号の文字を含む画像を撮像する撮像手段と、
前記撮像手段によって撮像した画像を格納する画像メモリと、
文字認識対象文字毎に、複数の回転角を持たせた文字パターンデータが予め記憶されたパターン辞書データベースと、
生産されるべき製品を一意に特定することができる管理番号が記憶された生産管理データベースと、
前記パターン辞書データベースに記憶されている文字パターンデータを参照して、前記画像メモリに格納されている画像から切り出した文字の画像データの文字認識処理を実行することにより管理番号を認識する文字認識手段と、
前記文字認識手段により得られた管理番号と前記生産管理データベースに記憶されている管理番号とを照合することにより、前記生産管理データベースに記憶されている製品が生産されたことを確認する照合手段と
を備えたことを特徴とする生産履歴管理システム。
【請求項２】
前記製品に記載される文字列の仕様データを記憶する予め記憶しておく仕様データベースをさらに備え、
前記文字認識手段は、前記仕様データベースに記憶されている読み取り対象の文字列の仕様データを読み出して、この仕様データを参照して、文字認識処理を実行することを特徴とする請求項１に記載の生産履歴管理システム。
【請求項３】
製品を一意に特定することができる管理番号の文字を含むサンプル画像に基づいて、前記仕様データを定義する仕様定義手段をさらに備えたことを特徴とする請求項２に記載の生産履歴管理システム。
【請求項４】
前記撮像手段は、光源の光を拡散反射または拡散透過させた光によって製品に記載された管理番号の文字を照明することを特徴とする請求項１に記載の生産履歴管理システム。
【発明の詳細な説明】
【技術分野】
【０００１】
本発明は、カタログ等を封入し、ラベル貼りや宛名シート封入を行ったパッケージが存在するか否かを確実に確認することにより、生産された製品の生産履歴を管理する生産履歴管理システムに関する。
【背景技術】
【０００２】
従来から顧客からの指示に基づいて１乃至複数枚のカタログ類、冊子類、その他印刷紙葉類などの商業印刷物を１組として包装し、指定された顧客先に発送出荷するために、顧客から指定された１組の印刷物を組シートとして丁合し、それを一まとめにして包装した後に、顧客先に間違いなく発送するシート選択丁合及びフィルムラッピング装置が知られている（例えば、特許文献１参照）。
【特許文献１】特開２００１−１７１９０４号公報
【発明の開示】
【発明が解決しようとする課題】
【０００３】
ところで、カタログ等の印刷物を封入したパッケージの上に宛名ラベルを貼ったり、パッケージの中に宛名シートを封入した製品を生産する場合、正しい数だけ生産したか否かを確認するとともに、各個人に配送するパッケージが確実に存在するかを確認する必要がある。例えば、このような製品を自動化ラインで生産する場合、１つのパッケージにラベルを重複して貼ってしまったり、２枚の宛名シートを１つのパッケージに封入してしまったり、さらには、ラベルや宛名シートが抜けてしまうことが発生する。
このようなことが発生した場合、他人の宛名ラベルや宛名シートが配送されてしまい、個人情報が漏洩することになってしまうという問題がある。また、ラベルや宛名シートが抜けていると、本来配送されるべき者へ製品は配送されないという問題が発生する。
【０００４】
このような問題を解決するために、ラベル等の画像を撮像し、この画像を解析することで検査の自動化を図ろうとする場合、ラベルが曲がって貼られていたり、宛名シートが曲がった状態で封入されていたりすると、ラベルや宛名シートに記載されている内容を正しく読みとれないという問題がある。また、フィルムラッピングを使用した包装内に封入された宛名シートを読み取る場合、フィルムの表面に対して光源の光を直接照明すると光の反射やフィルムのしわによる濃い陰影により、宛名シートに記載されている内容を正しく読みとれないという問題もある。
【０００５】
本発明は、このような事情に鑑みてなされたもので、ラベル貼りや宛名シート封入を行ったパッケージが存在するか否かを確実に確認することにより、生産された製品の生産履歴を管理する生産履歴管理システムを提供することを目的とする。
【課題を解決するための手段】
【０００６】
本発明は、生産した製品に記載され、該製品を一意に特定することができる管理番号の文字を含む画像を撮像する撮像手段と、前記撮像手段によって撮像した画像を格納する画像メモリと、文字認識対象文字毎に、複数の回転角を持たせた文字パターンデータが予め記憶されたパターン辞書データベースと、生産されるべき製品を一意に特定することができる管理番号が記憶された生産管理データベースと、前記パターン辞書データベースに記憶されている文字パターンデータを参照して、前記画像メモリに格納されている画像から切り出した文字の画像データの文字認識処理を実行することにより管理番号を認識する文字認識手段と、前記文字認識手段により得られた管理番号と前記生産管理データベースに記憶されている管理番号とを照合することにより、前記生産管理データベースに記憶されている製品が生産されたことを確認する照合手段とを備えたことを特徴とする。
【０００７】
本発明は、前記製品に記載される文字列の仕様データを記憶する予め記憶しておく仕様データベースをさらに備え、前記文字認識手段は、前記仕様データベースに記憶されている読み取り対象の文字列の仕様データを読み出して、この仕様データを参照して、文字認識処理を実行することを特徴とする。
【０００８】
本発明は、製品を一意に特定することができる管理番号の文字を含むサンプル画像に基づいて、前記仕様データを定義する仕様定義手段をさらに備えたことを特徴とする。
【０００９】
本発明は、前記撮像手段は、光源の光を拡散反射または拡散透過させた光によって製品に記載された管理番号の文字を照明（間接照明）することを特徴とする。
【発明の効果】
【００１０】
本発明によれば、文字認識対象文字毎に、複数の回転角を持たせた文字パターンデータを参照して、文字認識を行うようにしたため、読み取り対象の文字が傾いた文字列であっても、読み取った画像データの回転処理を無くすことができ、文字認識の計算負荷を低減できるという効果が得られる。また、読み取り対象の文字の照明を間接照明にしたため、パッケージに用いるフィルムにおける反射の影響やフィルムのしわによる影響を低減することができ、文字認識率を向上させることができるという効果が得られる。
【発明を実施するための最良の形態】
【００１１】
＜実施の形態１＞
以下、本発明の一実施形態による生産履歴管理システムを図面を参照して説明する。図１は同実施形態の構成を示すブロック図である。この図において、符号１は、生産履歴管理の対象である製品であり、カタログ等の印刷物を封入したパッケージの状態の製品である。符号２は、製品１の表面に貼付されたラベルであり、宛先の住所や氏名、識別番号等が表面に印刷されている。製品１は、宛先の住所や氏名、識別番号等が印刷された宛名シートが透明の窓を有するパッケージ内に封入されている場合もある。符号３は生産した製品１を順に搬送する搬送部である。符号４は、搬送部３上における製品１の位置検出を行う位置センサである。符号５は、製品１を照明する光源である。符号６は、拡散反射特性を有する反射板であり、光源５が発する光を反射して製品１を照明する。符号７は、製品１に貼付されたラベル、または製品１内に封入された宛名シートに印刷された識別番号等の文字列を読み取るために、ラベルまたは宛名シートの画像を撮像するＣＣＤカメラである。符号８は、位置センサ４の出力を読み取り、製品１がカメラ７の撮像視野内の位置に到達した時点で、２つの光源５及びカメラ７に対して動作開始のタイミング信号を出力するタイミング信号出力部である。符号９は、タイミング信号出力部８から出力されるタイミング信号を入力し、カメラ７から出力される画像信号を量子化した画像データを記憶する画像メモリである。
【００１２】
符号１０は、パターン認識を行うことにより文字認識を行うためのパターン辞書データが予め記憶されたパターンデータ辞書データベースである。符号１１は、パターン辞書データベース１０を参照して、画像メモリ９に記憶されている画像データ中の文字の認識を行う文字認識処理部である。符号１２は、製品１の生産管理データが記憶される生産管理データベースである。符号１３は、文字認識処理部１１において認識された製品１の識別情報と生産管理データベース１２に記憶されている識別情報とを照合して、生産された製品１の検査を行い、各製品１毎の照合結果を生産管理データベース１２へ書き込む照合処理部である。符号１４は、照合処理部１３における照合結果を表示装置等に出力する照合結果出力部である。符号１５は、照合処理部１３において、エラーが発生した製品１について、人手で検査した結果を生産管理データベース１２へ書き込むオフライン検査入力部である。符号１６は、製品１に貼付されているラベル、または封入されている宛名シートに印刷されている文字の仕様データが記憶されるラベルデータベースである。文字認識処理部１１は、この仕様データを参照して、文字認識処理を行う。符号１７は、照合処理を行う前に、ラベルまたは宛名シートの仕様データを定義しておくラベル仕様定義部である。符号１８は、生産管理データを生成して、生産管理データベース１２内に記憶する生産管理システムである。
【００１３】
次に、図２を参照して、図１に示すパターン辞書データベース１０内に記憶されるパターンデータについて説明する。図２は、図１に示すパターン辞書データベース１０内に記憶されるパターンデータを示す図である。パターン辞書データは、図２に示すように、読み取り対象の数字、英字（記号等を含む）毎に、予め回転角を持たせたパターンデータ（画像データ）が予め記憶されている。ラベルは、製品１に対して、傾いて貼付されていたり、宛名シートが傾いた状態で封入されている場合がある。通常の文字認識では、読み取った文字候補の画像データを回転して、辞書データを比較するのが一般的であるが、画像の回転処理は、計算負荷が高いため、傾いたパターンデータを予め用意しておき、この傾いたパターンデータと傾いた状態で読み取られた画像とを比較することで処理の負荷を軽減している。図２に示す例では、１文字に対して、５つのパターンデータが記憶されており、回転角度が、０°のものと、時計回り、反時計回りに回転角を持たせたものパターンデータが２つずつ登録されている。この回転角の最大値は約７°であり、この最大値は読み取り対象の文字の大きさと文字間隔から決まる値である。すなわち、傾いた状態で読み込まれた文字画像の１文字分の領域を画像処理によって切り出した場合に、隣の文字の画像が含まれないようにしたときに決まる傾きの許容範囲の角度である。
また、製品１の高さの変化等によりカメラ７と文字読み取り対象（ラベルや宛名シート）との距離が変化する場合や記載されている文字サイズが異なる場合が発生するときは、パターン辞書データベース１０内に文字サイズの異なるパターンデータを予め登録しておくようにしてもよい。例えば、各文字に対して、１０％拡大したデータ、５％拡大したデータ、５％縮小したデータ、１０％縮小したデータを、図２に示す回転データと同様に予め登録しておけば、パターンマッチング処理において、画像の拡大／縮小処理を行う必要がなくなり、処理を高速化することが可能となる。
【００１４】
次に、図３を参照して、図１に示す生産管理データベース１２に記憶されるデータについて説明する。図３は、図１に示す生産管理データベース１２のテーブル構造を示す図である。生産管理データは、生産管理システム１８によって生成されて生産管理データベース１２へ書き込まれる管理番号データ（第１〜第４）と、照合結果データとからなる。この管理番号のうち、少なくとも１つの管理番号は、製品１を一意に特定することが可能な番号となっている。ここでは、第１管理番号が製品１を一意に特定することが可能な番号である。検査結果は、照合処理部１３が照合した結果を書き込むものであり、「ＯＫ」、「ＮＧ」の２つの状態を示す情報である。「ＯＫ」は、生産管理データベース１２内に記憶されている番号とカメラ７によって読み取られた番号とが一致したことを意味するものである。「ＮＧ」は、カメラ７によって読み取った画像から文字を認識することができなかった場合やデータベース内の管理番号を読み取らなかったことを意味する。
【００１５】
次に、図４を参照して、図１に示すラベルデータベース１６に記憶される仕様データについて説明する。図４は、図１に示すラベルデータベース１６のテーブル構造を示す図である。ここでは、ラベルの仕様データについて説明するが、宛名シートの場合でも同様である。仕様データは、ラベル上の位置と内容が不変である基準マークデータのイメージデータと、４つの文字認識領域毎に、基準マークデータとの「位置関係」、「文字数」、「有効文字数」、「読取種類」、「チェック・デジット方式」、「文字列の向き」が記憶される。「位置関係」は、各文字認識領域（矩形領域）と基準マークデータとの相対位置関係を示す相対座標値である。「文字数」は、文字認識領域内にあるべき文字の数である。「有効文字数」は、「文字数」で表される文字列のうち、文字認識に有効となる文字数である。「読取種類」は、文字認識領域内の文字列の種類を意味し、数字のみ、英字と数字の混在、英字のみ、バーコードのいずれかである。「チェック・デジット方式」は、認識対象の文字列をチェックするためのチェック・デジットの方式であり、チェック・デジットを使用しない文字列の場合は、「なし」が書き込まれる。「文字列の向き」は、各認識領域内の文字列の向きである。
【００１６】
次に、図５〜図７を参照して、図１に示す生産履歴管理システムの動作を説明する。
初めに、図５、図６を参照して、ラベルまたは宛名シートの仕様データを定義して、ラベルデータベース１６へ記憶する動作を説明する。まず管理者は、図示しない入力部を操作して、仕様データの定義を行う指示をする。これを受けて、ラベル仕様定義部１７は、図示しない表示装置へラベルをカメラ７の撮像視野内に置くように指示するメッセージを表示する。これに対して、管理者は、ラベルのサンプルをカメラ７の視野内に配置し、入力部より、ラベルを配置したこと意味するコマンドを入力する。
【００１７】
次に、ラベル仕様定義部１７は、タイミング信号出力部８に対して、画像を撮像する指示を出す。これを受けて、タイミング信号出力部８は、光源５、カメラ７、画像メモリ９に対して、タイミング信号を出力する。このタイミング信号を受けて、光源５が発光し、この発光したタイミングでカメラ７がラベルの画像を取りこみ、取り込んだ画像を画像メモリ９へ格納する（ステップＳ１）。
【００１８】
次に、ラベル仕様定義部１７は、画像メモリ９に格納された画像を読み出し、この画像を表示装置へ表示するとともに、表示装置にデータ入力フィールドを表示する。図６は、表示装置に表示される画面の表示例を示す図である。図６に示すように、画面には、データ入力フィールドＦ１と取り込み画像表示フィールドＦ２が表示される。そして、ラベル仕様定義部１７は、基準マークデータの領域を指定するように指示するメッセージを表示する。これに対して、管理者はマウス等のポインティングデバイスを操作して、基準マークとなる矩形領域（図６の符号２１で示す領域）を取り込み画像表示フィールドＦ２内で指定する（ステップＳ２）。ここでは、「お客様番号」を基準マークとしたものとする。そして、ラベル仕様定義部１７は、基準マークの矩形領域２１の画像データを切り出して、ラベルデータベース１６の基準マークデータフィールドへ記憶する。
【００１９】
次に、ラベル仕様定義部１７は、文字読み取り対象の領域を指定するように指示するメッセージを表示する。これに対して、管理者は、基準マークデータを指定した時と同様に、文字読み取り対象の領域を指定する（ステップＳ３）。ここでは、図６の符号２２で示す領域を指定したものとする。続いて、ラベル仕様定義部１７は、文字列の仕様データを入力するように指示するメッセージを表示する。これに対して、管理者は第１の領域に対応するデータ入力フィールドＦ１１及び文字列の向きを入力するフィールドＦ１４にデータをキーボード等から入力する。
【００２０】
次に、ラベル仕様定義部１７は、基準マークデータの領域２１の４隅の座標値と文字読み取り対象の領域２２の４隅の座標値を読み取り、これらの座標値から文字読み取り対象の領域２２の４隅の座標値の相対位置値を求める。そして、ラベル仕様定義部１７は、この相対位置座標値と、データ入力フィールドＦ１１、Ｆ１４に入力されたデータとをラベルデータベース１６の第１認識領域のフィールドへ記憶する（ステップＳ５）。
【００２１】
次に、ラベル仕様定義部１７は、さらに文字読み取り対象の領域を指定を終了するか否かを問い合わせるメッセージを表示装置へ表示する。これに対して、管理者は、第２以降の文字読み取り対象の領域を指定するのであれば、「ＹＥＳ」を入力し、指定しないのであれば「ＮＯ」を入力する。ラベル仕様定義部１７は、この回答に基づいて、指定を続行するのであればステップＳ３へ戻り、ステップＳ３〜Ｓ５の処理を繰り返し、領域２３、領域２４、領域２５の仕様データを定義して、ラベルデータベース１６へ仕様データの登録を行う。
【００２２】
この動作によって、図４に示すラベルデータベース１６内にラベルの仕様データが登録されることになる。
なお、図４に示す例では、最大で４つの認識領域を定義する例を示したが、５つ以上の認識領域を定義するようにしてもよく、定義する認識領域（文字読み取り対象の領域）の数は、１以上であれば、管理者が任意に決定すればよい。
【００２３】
次に、図７を参照して、生産履歴を管理する動作を説明する。
まず、文字認識処理部１１は、事前にラベルデータベース１６からラベルの仕様データを読み込んでおく（ステップＳ１１）。これは、搬送部３によって搬送される製品１に対応する仕様データを管理者が指定し、管理者によって指定された仕様データを読み込むことにより行う。
【００２４】
次に、搬送部３によって製品１が搬送され、位置センサ４により製品１の位置が検出されると、タイミング信号出力部８は、光源５、カメラ７及び画像メモリ９へタイミング信号を出力する。これにより、製品１に貼付されたラベル２の画像が画像メモリ９へ格納される（ステップＳ１２）。
【００２５】
これを受けて、文字認識処理部１１は、画像メモリ９に格納されている画像データ中から基準マークデータを探索し、基準マークの座標値を求める（ステップＳ１３）。続いて、文字認識処理部１１は、求めた基準マークの座標値に各認識領域の相対座標値を加算し、読み込んだ画像上の各認識領域（読み取り対象の文字列領域）を定義する（ステップＳ１４）。このとき、認識領域が複数あれば、それぞれの読み取り対象の文字列領域を定義する。
【００２６】
次に、文字認識処理部１１は、定義した文字列領域内の文字認識処理を行う（ステップＳ１５）。このとき、文字認識処理部１１は、事前に読み込んだラベル仕様データと、パターン辞書データベース１０に記憶されているパターンデータを参照して文字認識処理を実行する。そして、文字認識処理部１１は、文字認識の結果得られたテキストデータを照合処理部１３へ出力する。この出力は、第１〜第４の認識領域全てについて行う。このとき、文字認識処理部１１は、各認識領域内の桁位置毎の認識結果を照合処理部１３へ出力する。例えば、８桁の数字列の場合、「１２３４５６７８」というテキストデータを出力する。これは、８桁の数字列を認識できたことを意味し、認識ができなかった場合は、「？？？？？？？？」を出力する。
【００２７】
次に、照合処理部１３は、文字認識処理部１１から出力されたテキストデータと、生産管理データベース１２に記憶されている管理番号とを照合する（ステップＳ１６）。そして、照合結果を生産管理データベース１２に記憶する（ステップＳ１７）。このとき、照合処理部１３は、チェックデジットが含まれる管理番号を優先して照合し、一致した場合は、検査結果のフィールドに「ＯＫ」を記憶する。４つの管理番号のうち認識できなかった管理番号があった場合でもチェックデジットを含む管理番号を読みとれた場合は、この管理番号を照合を優先する。また、同時に４つの管理番号の読取りを行い、一つでも一致する管理番号があれば、検査結果のフィールドに「ＯＫ」を記憶する。チェックデジットがなく、不一致が発生した場合は、読み取りエラーとして検査結果のフィールドに「ＮＧ」を記憶する。
【００２８】
次に、照合処理部１３は、照合処理が終了した時点で、照合処理が終了したことをタイミング信号出力部８へ通知する。そして、全ての製品１の搬送が終了した時点（ステップＳ１８）で、照合処理部１３は、照合結果出力部１４に対して、処理が終了したことを通知する。
【００２９】
次に、照合結果出力部１４は、生産管理データベース１２の検査結果フィールドの内容を読み出し、「ＮＧ」が存在したか否かに基づいてエラーがあったか否かを判定する（ステップＳ１９）。この結果、エラーがなければ照合結果出力部１４は、表示装置に照合が正常に終了したことを表示する。一方、エラーがあった場合、照合結果出力部１４は、生産管理データベース１２に記憶されているデータ全てを読み出して、これをエラー情報として表示装置へ表示する（ステップＳ２０）。
【００３０】
このように、文字認識対象文字毎に、複数の回転角を持たせた文字パターンデータを参照して、文字認識を行うようにしたため、読み取り対象の文字が傾いた文字列であっても、読み取った画像データの回転処理を無くすことができ、文字認識の計算負荷を低減できる。また、読み取り対象の文字の照明を間接照明にしたため、パッケージに用いるフィルムにおける反射の影響やフィルムのしわによる影響を低減することができ、文字認識率を向上させることができる。
なお、製品１を照明するには間接照明が望ましいが、ラベル２を製品１の表面に貼り付ける場合で、かつラベル２の表面が拡散反射特性を有している場合は、直接照明であってもよい。
【００３１】
＜実施の形態２＞
次に、図８、図９を参照して、製品１を照明する方法について説明する。ここで説明する照明方法は、フィルムラッピングを使用した包装内に封入された宛名シートを読み取る場合に好適な照明方法である。
図８は、フィルムラッピングを使用したパッケージ内に宛名シートが封入されている場合において、リングライトの光源５から発する光を拡散透過する白色ガラス６１を透過させて、透明のフィルム６３で覆われた宛名シート２を照明するようにした間接照明の構成を示す図である。
【００３２】
図９は、内面が拡散反射特性を有している円筒型の反射板６２を備え、この円筒の一部に光源５の発する光を円筒内部に入射するための窓を設けて、この窓から入射した光によって円筒内面を照明し、この内面からの拡散反射光により透明のフィルム６３で覆われた宛名シート２を照明するようにした間接照明の構成を示す図である。
なお、図９に示す円筒は、製品１の上方を覆うドーム型をした反射板であってもよい。このとき、ドームの頂点に窓を設け、この窓にカメラ７を挿入し、製品１を撮像するようにすれば製品１に対して、入射する外乱光を遮断することができ、光源５から発した光の拡散反射光のみによって製品１を照明することができるため、照明環境を最適化することが可能となる。
【００３３】
図８、図９に示す間接照明の構成は、図１に示す光源５、反射板６に換えて用いるものであり、その他の構成は図１に示す構成と同一の構成を用いて、前述した動作により文字認識処理を行えば、同様にラベルや宛名シートの文字認識を行うことが可能である。
【００３４】
このような間接照明によれば、フィルムの表面で反射する光を弱めることができるとともに、フィルムのしわによる濃い陰影を低減することができるため、宛名シートに記載されている内容を正しく読みとることが可能となる。
【００３５】
なお、図１における各処理部の機能を実現するためのプログラムをコンピュータ読み取り可能な記録媒体に記録して、この記録媒体に記録されたプログラムをコンピュータシステムに読み込ませ、実行することにより生産履歴管理処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３７】
【図１】本発明の一実施形態の構成を示すブロック図である。
【図２】図１に示すパターン辞書データベース１０内に記憶されるパターンデータの一例を示す説明図である。
【図３】図１に示す生産管理データベース１２のテーブル構造を示す説明図である。
【図４】図１に示すラベルデータベース１６のテーブル構造を示す説明図である。
【図５】図１に示す生産履歴管理システムの動作を示すフローチャートである。
【図６】図１に示すラベル仕様定義部１７が表示する操作画面の一例を示す説明図である。
【図７】図１に示す生産履歴管理システムの動作を示すフローチャートである。
【図８】間接照明の構成を示す説明図である。
【図９】間接照明の構成を示す説明図である。
【符号の説明】
【００３８】
１・・・製品、２・・・ラベル（宛名シート）、３・・・搬送部、４・・・位置センサ、５・・・光源、６・・・反射板、７・・・カメラ、８・・・タイミング信号出力部、９・・・画像メモリ、１０・・・パターン辞書データベース、１１・・・文字認識処理部、１２・・・生産管理データベース、１３・・・照合処理部、１４・・・照合結果出力部、１５・・・オフライン検査入力部、１６・・・ラベルデータベース、１７・・・ラベル仕様定義部、１８・・・生産管理システム、６１・・・白色ガラス、６２・・・円筒型反射板、６３・・・フィルム
【図１】
2006079513.tif 000003
【図２】
2006079513.tif 000004
【図３】
2006079513.tif 000005
【図４】
2006079513.tif 000006
【図５】
2006079513.tif 000007
【図６】
2006079513.tif 000008
【図７】
2006079513.tif 000009
【図８】
2006079513.tif 000010
【図９】
2006079513.tif 000011